(57)【要約】【課題】保管時には嵩低くすることができ、しかも流動物の梱包時には、梱包筒が不用意に変形することのない流動物用梱包具を提供する。【解決手段】周囲に囲み板部が備えられた平面視略正方形のパレットと、複数枚の梱包板部が折りたたみ乃至展開可能に連結されて成る八角筒状の梱包筒とが備えられて、前記パレットの載置板上に立設した前記梱包筒内に流動物を装填するようにした流動物用梱包具であって、前記載置板には、前記梱包板部の外側面を受け止める受け止め板部が前記載置板に対して起立位置と倒伏位置とに位置変更可能に設けられるとともに、前記受け止め板部の両端には、前記載置板に対して起立した前記受け止め板部の倒伏を規制するための規制板部が前記受け止め板部に対して屈曲可能に設けられ、前記規制板部には、前記受け止め板部に対する前記規制板部の屈曲を維持するための位置決め体が設けられた。【選択図】図１
2011213404.tif 000002
【特許請求の範囲】
【請求項１】
周囲に囲み板部が備えられたパレットと、複数枚の梱包板部が折りたたみ乃至展開可能に連結されて成る梱包筒とが備えられて、前記パレットの載置板上に立設した前記梱包筒内に流動物を装填するようにした流動物用梱包具であって、前記載置板には、前記梱包板部の外側面を受け止める受け止め板部が前記載置板に対して起立位置と倒伏位置とに位置変更可能に設けられるとともに、前記受け止め板部の両端の少なくともいずれか一方には、前記載置板に対して起立した前記受け止め板部の倒伏を規制するための規制板部が前記受け止め板部に対して屈曲可能に設けられていることを特徴とする流動物用梱包具。
【請求項２】
規制板部には、前記受け止め板部に対する前記規制板部の屈曲を維持するための位置決め体が設けられていることを特徴とする請求項１に記載の流動物用梱包具。
【請求項３】
梱包筒の上端開口を閉鎖する蓋体が備えられ、この蓋体は、載置板とほぼ同一の大きさの板材から構成されて、展開した梱包筒の上端開口を覆う蓋本体と、パレットと蓋体とを結束するための結束用ベルトの装着用フラップとが備えられていることを特徴とする請求項１または２に記載の流動物用梱包具。
【発明の詳細な説明】
【技術分野】
【０００１】
本発明は、主としてプラスチック製の内袋に入れた流動物などを搬送する際に用いる流動物用梱包具に関する。
【背景技術】
【０００２】
一般にこの種の流動物用梱包具は、平面視略正方形に形成されたパレットと、このパレットの載置面上に立設する梱包筒とが備えられており、梱包筒は、例えば８枚の梱包板部が互いに折りたたみ乃至展開可能に連結されている。（特許文献１参照）。
【０００３】
そして以上の包装具により内袋に入れた液体などの流動物を梱包するに際しては、梱包筒を平面視略八角筒状に展開してパレットの載置面上に立設した上で、その内部に流動物を内袋とともに収容する一方、不使用時には包装筒を平らに折畳んで、パレットとともに保管するようにしている。
【０００４】
ところで以上の梱包具では、パレットの載置面上に立設した梱包筒に流動物を装填するに伴い、梱包筒が流動物により外方に向けて押されて膨らみ方向に変形したりあるいはずれ動くなどの虞がある。
【０００５】
以上の不具合に対しては、パレットの載置面の周縁に、前記載置面に対して立ち上がる囲み板部を設けると共に、載置面上の四隅には突起部材を固定し、梱包筒を載置面上に立設した際、梱包筒を構成する８つの梱包板部中の4つの梱包板部の下端部を前記囲み板部の内面で受け止めるとともに、囲み板部では受け止めることの出来ない残りの４つの梱包板部は、載置面上の四隅に突設した突起部材で受け止めることで、梱包筒が不用意に外方に膨らんだりあるいはずれ動くのを規制する方法が考えられる。
【０００６】
しかしながら以上の梱包具では、前記したように、位置規制のための突起物がパレットの載置面上に固定されていることから、折畳んだ梱包筒をパレットの載置面上に載せて保管する際、梱包筒が突起物上に載ってパレットの載置面から浮き上がってしまって、保管しようとする梱包具が嵩高くなるのは勿論のこと、梱包筒がパレットの載置面に対して浮き上がった状態となるので、例えば梱包具を搬送する際、その搬送が安定的に行なえず、梱包筒がパレットに対して不用意にずれ動く虞も多分にある。
【先行技術文献】
【特許文献】
【０００７】
【特許文献１】特開平９−２４９２１７号
【発明の概要】
【発明が解決しようとする課題】
【０００８】
本発明は、以上の実情に鑑みて開発したものであって、目的とするところは、保管時には嵩低くすることができ、しかも流動物の梱包時には、梱包筒が不用意に変形することのない流動物用梱包具を提供することにある。
【課題を解決するための手段】
【０００９】
以上の目的を達成するために、請求項１に記載の発明は、周囲に囲み板部が備えられたパレットと、複数枚の梱包板部が折りたたみ乃至展開可能に連結されて成る梱包筒とが備えられて、前記パレットの載置板上に立設した前記梱包筒内に流動物を装填するようにした流動物用梱包具であって、
前記載置板には、前記梱包板部の外側面を受け止める受け止め板部が前記載置板に対して起立位置と倒伏位置とに位置変更可能に設けられるとともに、前記受け止め板部の両端の少なくともいずれか一方には、前記載置板に対して起立した前記受け止め板部の倒伏を規制するための規制板部が前記受け止め板部に対して屈曲可能に設けられていることを特徴とする。
【００１０】
請求項２に記載の発明は、請求項１に記載の流動物用梱包具において、前記規制板部には、前記受け止め板部に対する前記規制板部の屈曲を維持するための位置決め体が設けられていることを特徴とする。
【００１１】
請求項３に記載の発明は、請求項１または２に記載の流動物用梱包具において、前記梱包筒の上端開口を閉鎖する蓋体が備えられ、この蓋体は、前記載置板とほぼ同一の大きさの板材から構成されて、展開した梱包筒の上端開口を覆う蓋本体と、パレットと蓋体とを結束するための結束用ベルトの装着用フラップとが備えられていることを特徴とする。
【発明の効果】
【００１２】
請求項１に記載の発明によれば、流動物の梱包に際しては、受け止め板部及び規制板部を起立させると共に規制板部を受け止め板部に対して屈曲状に配置した上で、筒状に展開した梱包筒を載置板の載置面上に立て、梱包筒を構成する梱包板部の外側面を受け止め板部で受け止めることで、梱包筒が不用意に変形したりずれ動くようなことなく、流動物を確実に梱包することが出来る。
【００１３】
一方、不使用時等には、折り曲げていた規制板部を展開した上で、受け止め板部を規制板部とともにパレット本体上に倒伏させた上で、折畳んだ梱包筒を載置板上に載せることで、梱包筒は載置板の載置面上に直接載ることが出来て載置面から浮き上がってしまうことがなく、従って流動物用梱包具は嵩張ることなくコンパクトに保管することが可能となる。
【００１４】
請求項２に記載の発明によれば、受け止め板部に対する規制板部の屈曲を維持するための位置決め体が規制板部に設けられているので、請求項１に記載の発明の効果に加え、位置決め体により、受け止め板部の倒伏を規制している規制板部の屈曲が確実に維持されて、例えば流動物の梱包時、受け止め板部が不用意に倒伏することがない。
【００１５】
請求項３に記載の発明によれば、請求項１に記載の発明の効果を加えて、流動物の梱包時、梱包筒の上端開口を蓋体により覆った状態で、結束用ベルトを介して蓋体をパレットに連結することで、パレット上に立設する梱包筒が不用意に倒れるのを抑制することが出来て、流動物を安定的に梱包することが出来るし、梱包具の保管時などには、パレットの上面に梱包筒を寝かせた上でこのパレットを広げた蓋体により確実に覆うことが出来る。
【図面の簡単な説明】
【００１６】
【図１】本発明にかかる流動物梱包具の概略斜視図。
【図２】本発明にかかる流動物梱包具を構成する載置板の平面図。
【図３】本発明にかかる流動物梱包具を構成する蓋体の斜視図。
【図４】本発明にかかる流動物梱包具を構成する梱包筒の折畳んだ状態を示す説明図。
【図５】パレットに載置板をセットした状態を示す平面図。
【図６】同、要部の斜視図。
【図７】パレットの載置面上に梱包筒をセットした状態を示す平面図。
【図８】同、要部の斜視図。
【図９】パレット上に折畳んだ梱包筒を載せた状態を示す斜視図。
【図１０】折畳んだ梱包筒を載せたパレット上に蓋体を被せた状態を示す斜視図。
【発明を実施するための形態】
【００１７】
以下、本発明にかかる流動物用梱包具の一実施形態を説明する。
【００１８】
先ず図１は本発明にかかる流動物包装具の使用時における斜視図、図２は載置板の平面図、図３は蓋体の斜視図、図４は梱包筒の折畳んだ状態を示す説明図、図５はパレットに載置板をセットした状態を示す平面図、図６はパレットに載置板をセットした状態の要部の斜視図、図７はパレット上に梱包筒を載せた状態を示す平面図、図８はパレット上に梱包筒を載せた状態の要部の斜視図、図９は折畳んだ梱包筒をパレット上に載せた状態を示す斜視図、図１０は図９に示すパレット上に更に蓋体を被せた状態を示す斜視図である。
【００１９】
以上の図において符号１で示す流動物用梱包具は、平面視略正方形の載置面２０を有するパレット２と、このパレット２の載置面２０上に立設して用いる梱包筒３と、梱包筒３の上端開口を閉鎖するための蓋体４とが備えられている。
【００２０】
パレット２は、硬質のプラスチックから形成された平面視略正方形のパレット本体２１と、このパレット本体２１の上面外周から立ち上がる囲み板部２２と、この囲み板部２２で囲まれたパレット本体２１の上面に敷設する載置板２３とから構成され、載置板２３の上面を梱包筒３の載置面２０としている。
【００２１】
載置板２３は、厚さ約９mmのプラスチック製段ボール板から構成され、載置面２０は、縦と横の長さを約１０９０ｍｍとしている。
【００２２】
梱包筒３は、二つ折り可能とした４枚の梱包板部３１がヒンジ部材３２を介して互いに折りたたみ乃至展開可能に連結されて、図６にも示すように８角形の角筒に展開可能で、且つ図４に示すように略平板状に折畳めるようにしている。
【００２３】
実施形態に示す梱包板部３１は、載置板２３と同様、プラスチック製段ボール板を用いており、この２つ折り可能な梱包板部３１は、高さを約８００ｍｍ、幅を約９００ｍｍとしている。
【００２４】
蓋体４は、パレット本体２１の外形とほぼ同一の大きさに形成されたプラスチック製段ボール板から成り、図３に示すように８角形に展開した梱包筒３の上端開口を覆う平面視８角形の蓋本体４１と、プラスチック製段ボール板の四隅部分から構成されて、前記した蓋本体４１に対して揺動可能である平面視三角形状のメインフラップ４２と、蓋本体４１の端縁から外方に突出する平面視長方形のサブフラップ４３とから構成されている。
【００２５】
サブフラップ４３も蓋本体４１に対して揺動可能となっている。
【００２６】
メインフラップ４２には、蓋体側結用束ベルト５の長さ方向一端部が固定されている。
【００２７】
以上の蓋体４は、梱包筒３の上端開口を閉鎖する以外に、蓋本体４１に対してメインフラップ４２を展開することで、パレット本体２１の上面をも覆えるようになっている。
【００２８】
蓋体側結束用ベルト５はその長さを任意調整可能であって、その遊端部には、パレット側結束用ベルト５０と接続可能なバックル５１が備えられている。
【００２９】
以上の構成からなる流動物用梱包具１において、本発明は、梱包板部３１の下端部外面を受け止める受け止め板部６を、載置面２０に対して起立位置と倒伏位置とに位置変更可能に設けるとともに、受け止め板部６の両端の少なくともいずれか一方には、載置面２０に対して起立した受け止め板部６の倒伏を規制するための規制板部７を受け止め板部６に対して屈曲可能に設けたのである。
【００３０】
即ち、図に示す実施形態では、図２にも示すように、載置板２３の四隅のコーナー部片を載置板２３の他の部分に対して起立方向に折り曲げ可能とすると共にこの折り曲げ可能とした各コーナー部片の幅方向中央部に対して幅方向両端部を更に折り曲げ可能として、各コーナー部片の中央部位を前記した受け止め板部６として用い、コーナー部片の左右両端部を前記した規制板部７として用いるようにしている。
【００３１】
そして受け止め板部６には、パレット側結束用ベルト５０の長さ方向一端部が連結されている。
【００３２】
このパレット側結束用ベルト５０もその長さが調整可能となっている。
【００３３】
また規制板部７には、受け止め板部６に対する規制板部７の屈曲を維持させる位置決め体８が装着されており、この位置決め体８には梱包板部３１の外側面に当接する第１当接部８ａと囲み板部２２の内側面に当接する第２当接部８ｂとが備えられている。
【００３４】
具体的には、位置決め体８は、規制板部７に固定するための固定板部８１と、この固定板部８１の一端から直角方向に延びる位置決め板部８２とが備えられている。
【００３５】
そして、この位置決め板部８２の長さ方向一端には前記した第１当接部８ａが、また長さ方向他端には第２当接部８ｂがそれぞれ形成されており、受け止め板部６及び規制板部７をパレット本体２１の上面に倒伏させた時には、図６にも示すように、位置決め板部８２が囲み板部２２の内側面に沿って立ち上がるようにしている。
【００３６】
なお、前記したプラスチック段ボール板は、外ライナー部と内ライナー部との間に中芯部が介装された既知構造のものが用いられている。
【００３７】
次に以上の流動物用梱包具１により、内袋に充填した液体を梱包する手順を説明する。
【００３８】
先ず、載置板２３のコーナー部位に設けられた受け止め板部６及び規制板部７を起立させると共に、左右の規制板部７を受け止め板部６に対して屈曲して、これら規制板部７を対向する囲み板部２２の内側面に対して直角に配置し、第２当接部を囲み板部２２の内側面に接触させる。
【００３９】
続いて、梱包筒３を八角筒状に展開した上で、載置板２３の載置面２０上に立てるのであって、これに伴い、梱包筒３を構成する８辺中の４辺の梱包板部３１における下端部外側面は囲み板部の内側面に接触すると共に、残り４辺の梱包板部３１の下端部外側面は受け止め板部６の内側面に接触する。
【００４０】
次に梱包筒３内に内袋に充填した液体を装填し、しかる後、蓋体４を梱包筒３上に被せて、蓋本体４１で梱包筒３の上端開口を閉鎖すると共に、メインフラップ４２及びサブフラップ４３を梱包板部３１の外側面に沿わせた上で、蓋体側結束用ベルト５をパレット側結束用ベルト５０に連結して、これら結束用ベルト５・５０を締め込む。
【００４１】
これにより、梱包筒３はパレット２に対して確実且つ安定的に立設すると共に、梱包筒を構成する８辺の梱包板部３１の下端部が、囲み板部２２及び受け止め板部６で受け止められるので、例えば梱包筒３内に収容した液体の影響で梱包板部３１が不用意に外方に変形したり梱包筒３がパレット２に対して不用意にずれ動くのを確実に抑制することが出来る。
【００４２】
一方、以上の流動物用梱包具１を使用しない場合には、梱包筒３を図４に示すように平板状に折り畳むとともに、折り曲げていた両規制板部７を展開して、図６にも示すように、受け止め板部６を規制板部７とともにパレット本体２上に倒伏させた上で、図９にも示すように、折畳んだ梱包筒３を囲み板部２２内の載置板２３上に載せる。
【００４３】
この時、受け止め板部６及び規制板部７は、載置板２３の載置面２０と面一に配置されるので、折畳まれた梱包筒３は、載置板２３の載置面２０上に直接載せることが出来て載置面２０から浮き上がってしまうことがない。
【００４４】
そして更に図１０に示すように、平板状に広げた蓋体４をパレット２に被せて、パレット２に置かれた梱包筒３をこの蓋体４で覆う。
【００４５】
斯くして、流動物用梱包具１の保管等に際して、前記したように、折畳まれた梱包筒３は、載置板２３の載置面２０上に直接載せることが出来て載置面２０から浮き上がるようなことがないので、流動物用梱包具１は上方に嵩張ることなくコンパクトに保管することが出来る。
【００４６】
以上の実施形態では、梱包筒３や載置板２３をプラスチック段ボール板から形成したが、これに限定されるものではなく、例えば紙製の強化段ボール板から形成してもよい。
【００４７】
また以上の実施形態では、受け止め板部６の両端にそれぞれ規制板部７を屈曲可能に設けたが、これに限定されるものではなく、受け止め板部６の一端部にのみ規制板部７を屈曲可能に設けてもよい。
【符号の説明】
【００４８】
１      流動物用梱包具
２      パレット
２０    載置面
２２    囲み板部
２３    載置板
３      梱包筒
３１    梱包板部
４      蓋体
４１    蓋本体
４２    メインフラップ
４３    サブフラップ
５      蓋体側結束用ベルト
５０    パレット側結束用ベルト
６      受け止め板部
７      規制板部
８      位置決め体
８１    固定板部
８２    位置決め板部
【図１】
2011213404.tif 000003
【図２】
2011213404.tif 000004
【図３】
2011213404.tif 000005
【図４】
2011213404.tif 000006
【図５】
2011213404.tif 000007
【図６】
2011213404.tif 000008
【図７】
2011213404.tif 000009
【図８】
2011213404.tif 000010
【図９】
2011213404.tif 000011
【図１０】
2011213404.tif 000012